(57)【特許請求の範囲】
【請求項１】
冷媒を圧縮する圧縮機と、室内熱交換器と、を有する冷凍サイクルと、
前記室内熱交換器に付着して落下した水をドレン水として一時的に溜めるドレンパンと、
前記ドレンパンに溜まった前記ドレン水を外部に排水するドレンポンプと、
前記冷凍サイクルと前記ドレンポンプの動作を制御する制御装置と、を備え、
前記制御装置は、
前記室内熱交換器を蒸発器として機能させ前記室内熱交換器の表面温度を氷点下にする凍結運転を実行し、
「通常の冷房運転終了後の前記ドレンポンプの駆動時間＜前記凍結運転後のドレンポンプの駆動時間」の関係を満たすように、前記ドレンポンプを駆動させる
空気調和機。
【請求項２】
請求項１に記載の空気調和機において、
前記制御装置は、
前記凍結運転終了後に解凍運転を実行し、
前記解凍運転中の少なくとも一部の時間、前記ドレンポンプを駆動させる
ことを特徴とする空気調和機。
【請求項３】
請求項２に記載の空気調和機において、
前記制御装置は、
前記凍結運転終了後に乾燥運転を実行し、
前記解凍運転中と前記乾燥運転中の少なくとも一部の時間、前記ドレンポンプを駆動させる
ことを特徴とする空気調和機。
【請求項４】
請求項３に記載の空気調和機において、
室内ファンを備え、
前記制御装置は、前記乾燥運転で前記室内ファンを駆動している間、前記ドレンポンプを駆動させる
ことを特徴とする空気調和機。
【請求項５】
請求項３に記載の空気調和機において、
前記制御装置は、前記凍結運転、前記解凍運転、及び前記乾燥運転中の少なくとも一部の時間、前記ドレンポンプの駆動をオンさせ続ける
ことを特徴とする空気調和機。
【請求項６】
請求項１に記載の空気調和機において、
前記制御装置は、前記通常の冷房運転が終了すると所定時間以上経過した後に前記ドレンポンプを停止させ、その後、前記凍結運転を開始するまで前記ドレンポンプを停止させ続ける
ことを特徴とする空気調和機。
【請求項７】
請求項４に記載の空気調和機において、
前記制御装置は、前記乾燥運転が終了した後も一定時間以上、前記ドレンポンプを駆動させ続ける
ことを特徴とする空気調和機。
【請求項８】
請求項１に記載の空気調和機において、
前記凍結運転中にユーザによる停止操作を受け付けた場合での停止操作を受け付けてから前記ドレンポンプの駆動開始までの時間は、前記通常の冷房運転での運転終了から前記ドレンポンプの駆動開始までの時間よりも長い
ことを特徴とする空気調和機。
【発明の詳細な説明】
【技術分野】
【０００１】
本発明は、空気調和機に関する。
【背景技術】
【０００２】
空気調和機の室内機の内部には、室内熱交換器に付着して落下した水を一時的に溜めるドレンパンが設けられている。以下、ドレンパンに溜まった水を「ドレン水」と称する。ドレン水は、配管を介して外部に排水されるが、その排水が良好に行われないと、ドレンパンに残る。これにより、異臭が発生したりやカビが発生したりすることがある。そこで、空気調和機の室内機の中には、ドレン水を強制的に外部に排水するためのドレンポンプを備えるものがある（例えば、特許文献１参照）。【０００３】
一方、空気調和機の中には、いわゆる「凍結洗浄運転」を行うものがある。「凍結洗浄運転」とは、室内熱交換器の表面に氷（霜を含む）を付着させた後に氷を解凍（融解）させ、これにより発生した水が落下する勢いを利用して室内熱交換器に付着した微細な塵埃を流し落とす運転動作である。
【先行技術文献】
【特許文献】
【０００４】
【特許文献１】特開２０１８−２５３５５号公報
【発明の概要】
【発明が解決しようとする課題】
【０００５】
しかしながら、従来の空気調和機では、凍結洗浄運転に関連してドレンポンプを駆動させることが考慮されていなかった。そのため、従来の空気調和機では、凍結洗浄運転を行う場合に、どのようなドレンポンプの駆動制御を行えば、ドレン水の残量を確実に低減することができるのかが不明であった。【０００６】
本発明は、前記した課題を解決するためになされたものであり、凍結洗浄運転を行った場合のドレン水の残量を低減する空気調和機を提供することを主な目的とする。
【課題を解決するための手段】
【０００７】
前記目的を達成するため、本発明は、空気調和機であって、冷媒を圧縮する圧縮機と、室内熱交換器と、を有する冷凍サイクルと、前記室内熱交換器に付着して落下した水をドレン水として一時的に溜めるドレンパンと、前記ドレンパンに溜まった前記ドレン水を外部に排水するドレンポンプと、前記冷凍サイクルと前記ドレンポンプの動作を制御する制御装置と、を備え、前記制御装置は、前記室内熱交換器を蒸発器として機能させ前記室内熱交換器の表面温度を氷点下にする凍結運転を実行し、「通常の冷房運転終了後の前記ドレンポンプの駆動時間＜前記凍結運転後のドレンポンプの駆動時間」の関係を満たすように、前記ドレンポンプを駆動させる構成とする。
その他の手段は、後記する。
【発明の効果】
【０００８】
本発明によれば、凍結洗浄運転を行った場合のドレン水の残量を低減することができる。
【図面の簡単な説明】
【０００９】
【図１】実施形態に係る空気調和機の系統図である。
【図２】実施形態に係る空気調和機の室内機の側断面図である。
【図３】実施形態に係る空気調和機の凍結洗浄運転時の動作を示すフローチャートである。
【図４】実施形態に係る空気調和機の凍結洗浄運転時の動作を示すタイムチャートである。
【図５】空気調和機の第１変形例の動作を示すタイムチャートである。
【図６】空気調和機の第２変形例の動作を示すタイムチャートである。
【発明を実施するための形態】
【００１０】
以下、図面を参照して、本発明の実施の形態（以下、「本実施形態」と称する）について詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１１】
［実施形態］
＜空気調和機の構成＞
以下、図１を参照して、本実施形態に係る空気調和機１００の構成について説明する。図１は、本実施形態に係る空気調和機１００の系統図である。
【００１２】
図１に示すように、空気調和機１００は、室外機３０と、室内機６０と、これらを制御する制御装置２０と、を備えている。室内機６０は、リモコン９０から入力される信号に応じて運転モード（冷房，暖房，除湿、換気等）、室内風量（急風、強風、弱風等）、目標室内温度等を設定する。
【００１３】
（制御装置の構成）
制御装置２０は、ＣＰＵ（Central Processing Unit）、ＤＳＰ（Digital Signal Processor）、ＲＡＭ（Random Access Memory）、ＲＯＭ（Read Only Memory）等、一般的なコンピュータとしてのハードウエアを備えており、ＲＯＭには、ＣＰＵによって実行される制御プログラムおよび各種データ等が格納されている。制御装置２０は、制御プログラムに基づいて、室外機３０および室内機６０の各部を制御する。なお、その詳細については後述する。
【００１４】
（室外機の構成）
室外機３０は、圧縮機３２と、四方弁３４と、室外熱交換器３６と、を備えている。圧縮機３２は、モータ３２ａを備えており、四方弁３４を介して流入する冷媒を圧縮する機能を有している。配管ａ１には、圧縮機３２に吸入される冷媒の温度を検出する吸入側温度センサ４１と、圧縮機３２に吸入される冷媒の圧力を検出する吸入側圧力センサ４５と、が設置されている。また、配管ａ２には、圧縮機３２から吐出される冷媒の温度を検出する吐出側温度センサ４２と、圧縮機３２から吐出される冷媒の圧力を検出する吐出側圧力センサ４６と、が設置されている。また、圧縮機３２には、圧縮機３２の温度を検出する圧縮機温度センサ４３が装着されている。
【００１５】
四方弁３４は、室内機６０の室内熱交換器６４を蒸発器として機能させるか、凝縮器として機能させるかに応じて、室内機６０に供給する冷媒の向きを切り替える機能を有している。室内熱交換器６４を蒸発器として機能させる場合、例えば冷房運転時には、四方弁３４は、実線の経路に沿って、配管ａ２，ａ３を接続するとともに配管ａ１，ａ６を接続するように切り替えられる。この場合、圧縮機３２から吐出された高温高圧の冷媒は、室外熱交換器３６によって冷却される。冷却された冷媒は、配管ａ５を介して、室内機６０に供給される。
【００１６】
また、室内熱交換器６４を凝縮器として機能させる場合、例えば暖房運転時には、四方弁３４は、破線の経路に沿って、配管ａ２，ａ６を接続するとともに、配管ａ１，ａ３を接続するように切り替えられる。この場合、圧縮機３２から吐出された高温高圧の冷媒は、配管ａ２，ａ６を介して、室内機６０に供給される。室外ファン４８は、モータ４８ａを備え、室外熱交換器３６に対して送風する。
【００１７】
室外熱交換器３６は、室外ファン４８から送られてくる空気と、冷媒との熱交換を行う熱交換器であり、四方弁３４を介して圧縮機３２に接続されている。また、室外機３０には、室外熱交換器３６に流入する空気の温度を検出する室外熱交換器入口温度センサ５１と、室外熱交換器３６のガス側冷媒の温度を検出する室外熱交換器冷媒ガス温度センサ５３と、室外熱交換器３６の液側冷媒の温度を検出する室外熱交換器冷媒液温度センサ５５と、が装着されている。
【００１８】
電源部５４は、商用電源２２から三相交流電圧を受電する。電源部５４には、電力測定部５８が接続されており、これによって空気調和機１００の消費電力が計測される。電源部５４が出力する直流電圧は、モータ制御部５６に供給される。モータ制御部５６はインバータ（図示せず）を備えており、圧縮機３２のモータ３２ａおよび室外ファン４８のモータ４８ａに交流電圧を供給する。また、モータ制御部５６は、モータ３２ａ，４８ａをセンサレスで制御し、これによってモータ３２ａ，４８ａの回転速度を検出する。
【００１９】
（室内機の構成）
室内機６０は、室内用膨張弁６２と、室内熱交換器６４と、室内ファン６６と、モータ制御部６７と、リモコン９０との間で双方向の通信を行うリモコン通信部６８と、を備えている。室内ファン６６は、モータ６６ａを備え、室内熱交換器６４に対して送風する。モータ制御部６７はインバータ（図示せず）を備えており、モータ６６ａに交流電圧を供給する。また、モータ制御部６７は、モータ６６ａをセンサレスで制御し、これによってモータ６６ａの回転速度を検出する。
【００２０】
室内用膨張弁６２は、配管ａ５，ａ７の間に挿入され、配管ａ５，ａ７を通流する冷媒の流量を調整するとともに、室内用膨張弁６２の二次側の冷媒を減圧する機能を有している。室内熱交換器６４は、室内ファン６６から送られてくる室内空気と冷媒との熱交換を行う熱交換器であり、配管ａ７を介して室内用膨張弁６２に接続されている。
【００２１】
また、室内機６０は、室内熱交換器入口空気温度センサ７０と、室内熱交換器排出空気温度センサ７２と、室内熱交換器入口湿度センサ７４と、室内熱交換器冷媒液温度センサ２５と、室内熱交換器冷媒ガス温度センサ２６と、を備えている。
ここで、室内熱交換器入口空気温度センサ７０は、室内ファン６６が吸い込む空気の温度を検出する。また、室内熱交換器排出空気温度センサ７２は、室内熱交換器６４から排出される空気の温度を検出する。
【００２２】
また、室内熱交換器入口湿度センサ７４は、室内ファン６６が吸い込む空気の湿度を検出する。また、室内熱交換器冷媒液温度センサ２５、室内熱交換器冷媒ガス温度センサ２６は、室内熱交換器６４と、配管ａ６との接続箇所に設けられ、その箇所を通流する冷媒の温度を検出する。このように、圧縮機３２、四方弁３４、室外熱交換器３６、室内用膨張弁６２、室内熱交換器６４および配管ａ１〜ａ７は、冷凍サイクルＲＣを形成している。
【００２３】
＜室内機の構成＞
以下、図２を参照して、室内機６０の構成について説明する。図２は、室内機６０の側断面図である。本実施形態では、室内機６０が天井カセット型の装置であるものとして説明する。天井カセット型とは、天井１３０に埋設され、下面を空調室に露出させる構成を意味している。ただし、室内機６０は、壁掛け型、天井埋め込み型、床置き型等の装置であってもよい。
【００２４】
図２に示すように、室内熱交換器６４は、略Ｖ字状に折れ曲がった板状に形成され、室内機６０の中央部に設置される。室内ファン６６は、略円筒状にフィンを配列したものであり、室内熱交換器６４の前方に配置されている。室内熱交換器６４および室内ファン６６の下方には、これらの表面に結露して落下した水を受けて一時的に溜めるドレンパン１４０が配置されている。以下、ドレンパン１４０に溜まった水を「ドレン水」と称する。室内機６０には、ドレンパン１４０に溜まったドレン水を強制的に外部に排水するためのドレンポンプＰＯが設けられている。本実施形態では、ドレンパン１４０の容積が後記する凍結洗浄運転で短時間のうちに発生するドレン水の想定発生量と同程度か又はそれよりも若干小さいものとして説明する。
【００２５】
室内熱交換器６４の後方には、傾斜したエアフィルタ１４２が設けられている。また、室内機６０の下面は化粧板１４３で覆われている。そして、エアフィルタ１４２の下方には、化粧板１４３にスリットを刻んで成る空気吸込み口１４４が形成されている。室内熱交換器入口空気温度センサ７０は、室内熱交換器６４とエアフィルタ１４２との間に設けられている。
【００２６】
室内ファン６６の前方には、空気吹出し通路１４６が形成されている。左右風向板１４８は、空気吹出し通路１４６の途中に設けられ、左右方向（紙面に対する垂直方向）に気流の方向を制御する。上下風向板１５０は、空気吹出し通路１４６の出口部分に設けられ、支点１５０ａを中心として回動し、上下方向に気流の方向を制御する。左右風向板１４８および上下風向板１５０は、制御装置２０（図１参照）によって回動駆動される。図２に実線で示す上下風向板１５０は、全開状態であるときの位置を示している。
【００２７】
空気調和機１００が停止中であるとき、上下風向板１５０は、一点鎖線で示す全閉位置１５２に回動される。また、後述する洗浄運転を実行する際には、上下風向板１５０は、一点鎖線で示す位置１５６に回動され、その後に洗浄運転位置１５４に回動される。そして、上下風向板１５０の開度が大きくなるほど、空気吹出し通路１４６の管路抵抗が小さくなる。但し、上下風向板１５０が全閉位置１５２に閉まっている場合であっても、上下風向板１５０と、化粧板１４３との間には隙間ＦＳが形成されており、隙間ＦＳを介して若干の空気が通流するようになっている。
【００２８】
なお、本実施形態では、例えば室内機６０の内部の洗浄が必要な場合に、そのことを示すための洗浄ランプ（図示せず）が化粧板１４３に設けられている。また、空調室の空気の吸い込みを選択的に行うための吸い込みパネル（図示せず）が空気吸込み口１４４とエアフィルタ１４２との間に設けられている。
【００２９】
＜空気調和機の凍結洗浄運転時の動作＞
本実施形態に係る空気調和機１００は、凍結洗浄運転を行うことができる。「凍結洗浄運転」とは、室内熱交換器６４の表面に氷（霜を含む）を付着させた後に氷を解凍（融解）させ、これにより発生した水が落下する勢いを利用して室内熱交換器６４に付着した微細な塵埃を流し落とす運転動作である。「凍結洗浄運転」では、通常の冷房運転よりも大量のドレン水が短時間のうちに発生する。
【００３０】
以下、図３及び図４を参照して、空気調和機１００の凍結洗浄運転時の動作について説明する。図３は、空気調和機１００の凍結洗浄運転時の動作を示すフローチャートである。図４は、空気調和機１００の凍結洗浄運転時の動作を示すタイムチャートである。
【００３１】
図３に示すルーチンの処理は、ユーザがリモコン９０を操作して凍結洗浄運転の実行を指令した場合や、凍結洗浄運転を自動的に行うタイミングになった場合に、凍結運転要求が発生し、それに応答して制御装置２０の制御によって実行される。
【００３２】
図３に示すように、凍結運転要求の発生時に凍結洗浄運転の処理を開始する。
すると、制御装置２０は、凍結運転が可能か否かを判定する（ステップＳ１０５）。ステップＳ１０５で、凍結運転が不能であると判定された場合（“Ｎｏ”の場合）に、凍結洗浄運転を停止する（ステップＳ１１０）。一方、ステップＳ１０５で、凍結運転が可能であると判定された場合（“Ｙｅｓ”の場合）に、制御装置２０は、ドレンポンプＰＯを駆動させる（ステップＳ１１５）。なお、凍結運転の初期にドレン水が発生することがあるため、凍結運転の初期にドレンポンプＰＯを駆動させるようにしてもよい。
【００３３】
次に、制御装置２０は、凍結運転を開始し（ステップＳ１２０）、その後、所望時間経過すると（十分な氷が室内熱交換器６４に付着すると）、凍結運転を停止する（ステップＳ１２５）。次に、制御装置２０は、室内熱交換器６４の表面の塵埃を流し落とすための解凍運転を開始し（ステップＳ１３０）、その後、所望時間経過すると、ドレンポンプＰＯを停止させて（ステップＳ１３５）、乾燥運転を開始する（ステップＳ１４０）。この後、所望時間経過すると、制御装置２０は、一連のルーチンの処理（凍結洗浄運転の処理）を停止する。なお、ステップＳ１３５の処理（ドレンポンプＰＯの停止の処理）は、運用に応じて削除したり、ステップＳ１４０（乾燥運転の処理）の後に移動させたりすることができる。
【００３４】
図４は、通常の冷房運転を行っている最中に、割り込みで凍結洗浄運転を行う場合の例を示している。図４に示す例では、順に、「（通常の冷房運転の）運転停止」処理、「圧縮機保護」運転、「送風」運転、「凍結洗浄」運転の各処理が行われている。「凍結洗浄」運転では、「凍結」運転、「解凍」運転、「乾燥」運転の各処理が行われている。また、「乾燥」運転では、「送風」運転、「暖房」運転、「放熱」運転の各処理が行われている。
【００３５】
ここで、「圧縮機保護」運転は、圧縮機３２の駆動を停止させて、圧縮機３２を保護する運転動作である。圧縮機３２は、駆動を停止することにより、内部空間を漂う潤滑油を貯油部（図示せず）の方向に落下させて、潤滑油が圧縮機３２の外部に流出しないようにすることができる。「送風」運転は、室内ファン６６を駆動させて室内熱交換器６４に風を当てる運転動作である。「凍結」運転は、室内熱交換器６４の温度を下げて室内熱交換器６４の表面に氷を付着させる運転動作である。「解凍」運転は、室内熱交換器６４の温度を上げて室内熱交換器６４の表面に付着した氷を解凍（融解）して室内熱交換器６４の表面の塵埃を流し落とす運転動作である。「乾燥」運転は、室内熱交換器６４の表面を乾燥させる運転動作である。「暖房」運転は、室内熱交換器６４の温度を上げる運転動作である。「放熱」運転は、室内熱交換器６４の熱を周囲に放出させる運転動作である。
【００３６】
図４に示す例では、以下の処理が行われている。
まず、時刻ｔ０から時刻ｔ１に亘って冷房運転からの「運転停止」処理が行われている。
また、時刻ｔ１から時刻ｔ２に亘って「圧縮機保護」運転が行われている。
また、時刻ｔ２から時刻ｔ３に亘って「送風」運転が行われている。
また、時刻ｔ３から時刻ｔ５に亘って「凍結」運転が行われている。
また、時刻ｔ５から時刻ｔ６に亘って「解凍」運転が行われている。
また、時刻ｔ６から時刻ｔ７に亘って「送風」運転が行われている。
また、時刻ｔ７から時刻ｔ８に亘って「暖房」運転が行われている。
また、時刻ｔ８から時刻ｔ９に亘って「放熱」運転が行われている。
また、時刻ｔ９以降で「送風」運転が行われている。
また、時刻ｔ３から時刻ｔ９に亘って「凍結洗浄」運転が行われている。
また、時刻ｔ６から時刻ｔ９に亘って「乾燥」運転が行われている。
【００３７】
時刻ｔ０から時刻ｔ１までの「運転停止」処理では、以下のような状態になっている。時刻ｔ０までの冷房運転で作動していた室内ファン６６と室外ファン４８と圧縮機３２は駆動を停止している。上下風向板１５０は任意の角度で下方に下がっている（開いている）。吸い込みパネル（図示せず）は任意の角度で開いている。洗浄ランプ（図示せず）は点灯している。ドレンポンプＰＯは駆動している。
以下、各運転動作について、状態が変化している構成要素について説明する。
【００３８】
時刻ｔ１から時刻ｔ２までの「圧縮機保護」運転では、室内ファン６６と室外ファン４８がそれぞれ所望の回転速度で駆動している。上下風向板１５０の傾きが凍結専用上向の角度に設定されている。ドレンポンプＰＯが時刻ｔ１から時刻ｔ１ａまで駆動し、時刻ｔ１ａで駆動を停止している。なお、時刻ｔ１ａは、時刻ｔ１と時刻ｔ２の間の時刻である。
【００３９】
時刻ｔ２から時刻ｔ３までの「送風」運転では、室内ファン６６が引き続き駆動している。「送風」運転での室内ファン６６の回転速度は、時刻ｔ１から時刻ｔ２までの期間（「圧縮機保護」運転中の期間）の回転速度よりも速くなっている（以下、同様）。
【００４０】
時刻ｔ３から時刻ｔ５までの「凍結」運転では、室内ファン６６が時刻ｔ４まで駆動し、時刻ｔ４で駆動を停止している。室外ファン４８が時刻ｔ５まで駆動し、時刻ｔ５で駆動を停止している。圧縮機３２が時刻ｔ５まで駆動し、時刻ｔ５で駆動を停止している。「凍結」運転での室内ファン６６の回転速度は、時刻ｔ１から時刻ｔ２までの期間（「圧縮機保護」運転中の期間）の回転速度よりも速く、かつ、時刻ｔ２から時刻ｔ３までの期間（「送風」運転中の期間）の回転速度よりも遅くなっている。また、「凍結」運転での室外ファン４８の回転速度は、時刻ｔ１から時刻ｔ３までの期間（「圧縮機保護」運転及び「送風」運転中の期間）の回転速度よりも速くなっている。
【００４１】
時刻ｔ５から時刻ｔ６までの「解凍」運転では、室内ファン６６と室外ファン４８と圧縮機３２が駆動を停止している。
【００４２】
時刻ｔ６から時刻ｔ７までの「送風」運転では、室内ファン６６が駆動している。上下風向板１５０の傾きが凍結専用下向の角度に設定されている。
【００４３】
時刻ｔ７から時刻ｔ８までの「暖房」運転では、室内ファン６６が引き続き駆動しており、時刻ｔ８で駆動を停止している。室外ファン４８が時刻ｔ８まで駆動し、時刻ｔ８で駆動を停止している。「暖房」運転での室外ファン４８の回転速度は、時刻ｔ１から時刻ｔ３までの期間（「圧縮機保護」運転及び「送風」運転中の期間）の回転速度よりも速く、かつ、時刻ｔ３から時刻ｔ５までの期間（「凍結」運転中の期間）の回転速度よりも遅くなっている。
【００４４】
時刻ｔ８から時刻ｔ９までの「放熱」運転では、室内ファン６６と室外ファン４８と圧縮機３２が駆動を停止している。
時刻ｔ９以降の「送風」運転では、室内ファン６６が駆動している。
【００４５】
＜空気調和機の主な特徴＞
本実施形態に係る空気調和機１００は、以下のような特徴を有している。
【００４６】
（１）図４に示すように、制御装置２０は、室内熱交換器６４を蒸発器として機能させ室内熱交換器６４の表面温度を氷点下にする凍結運転を実行し、「通常の冷房運転終了後のドレンポンプの駆動時間＜凍結運転後のドレンポンプの駆動時間」の関係を満たすように、ドレンポンプＰＯを駆動させる。
【００４７】
なお、図４に示す例では、「通常の冷房運転終了後のドレンポンプの駆動時間」とは、時刻ｔ１から時刻ｔ１ａまでの時間である。また、「凍結運転後のドレンポンプの駆動時間」とは、時刻ｔ５以降の時間である。
【００４８】
「凍結洗浄運転」では、通常の冷房運転よりも大量のドレン水が短時間のうちに発生する。本実施形態に係る空気調和機１００は、前記した関係を満たすようにドレンポンプＰＯを駆動させることによって、ドレン水を効率よく確実に外部に排水することができる。そのため、本実施形態に係る空気調和機１００は、凍結洗浄運転を行った場合のドレン水の残量を確実に低減することができる。このような本実施形態に係る空気調和機１００は、ドレンパン１４０からドレン水が溢れ出ることを防ぐとともに、ドレンパン１４０にドレン水が残ることに起因する異臭の発生やカビの発生を抑制することができる。
【００４９】
（２）制御装置２０は、好ましくは、凍結運転終了後に解凍運転を実行し、解凍運転中の少なくとも一部の時間、ドレンポンプＰＯを駆動させるとよい。これにより、本実施形態に係る空気調和機１００は、凍結洗浄運転を行った場合のドレン水の残量を低減することができる。
【００５０】
（３）制御装置２０は、好ましくは、凍結運転終了後に乾燥運転を実行し、解凍運転中と乾燥運転中の少なくとも一部の時間、ドレンポンプＰＯを駆動させるとよい。これにより、本実施形態に係る空気調和機１００は、凍結洗浄運転を行った場合のドレン水の残量をさらに効率よく低減することができる。
【００５１】
（４）制御装置２０は、好ましくは、乾燥運転で室内ファン６６を駆動している間、ドレンポンプＰＯを駆動させるとよい。
【００５２】
室内機６０の内部では、室内ファン６６が駆動している間は、室内熱交換器６４に付着した氷の解凍で発生した水がドレンパン１４０に落下して、ドレンパン１４０にドレン水が溜まる可能性がある。そこで、本実施形態に係る空気調和機１００は、乾燥運転で室内ファン６６を駆動している間、ドレンポンプＰＯを駆動させる。これにより、本実施形態に係る空気調和機１００は、凍結洗浄運転を行った場合のドレン水の残量を効率よく確実に低減することができる。
【００５３】
（５）制御装置２０は、好ましくは、凍結運転、解凍運転、及び乾燥運転中の少なくとも一部の時間、ドレンポンプＰＯの駆動をオンさせ続けるとよい。
【００５４】
ドレンポンプＰＯは、駆動のオン／オフの切替時に比較的大きな音が発生する。そこで、本実施形態に係る空気調和機１００の制御装置２０は、凍結運転、解凍運転、及び乾燥運転中の少なくとも一部の時間、ドレンポンプＰＯの駆動をオンさせ続ける。これにより、本実施形態に係る空気調和機１００は、ドレンポンプＰＯに起因する騒音の発生を低減することができる。
【００５５】
（６）制御装置２０は、好ましくは、通常の冷房運転が終了すると所定時間以上経過した後にドレンポンプＰＯを停止させ、その後、凍結運転を開始するまでドレンポンプＰＯを停止させ続けるとよい。これにより、本実施形態に係る空気調和機１００は、ドレンポンプＰＯを停止させる時間を確保することができる。そのため、本実施形態に係る空気調和機１００は、その分だけ消費エネルギーの低減を実現すること、つまり、省エネルギーを実現することができる。
【００５６】
（７）制御装置２０は、好ましくは、乾燥運転が終了した後も一定時間以上、ドレンポンプＰＯを駆動させ続けるとよい。なお、図４に示す例では、「乾燥運転が終了した後」とは、時刻ｔ９以降を意味している。本実施形態に係る空気調和機１００は、乾燥運転が終了した後も一定時間以上、ドレンポンプＰＯを駆動させ続けることによって、ドレンパン１４０に残るほぼ全てのドレン水を外部に排水することができる。そのため、本実施形態に係る空気調和機１００は、凍結洗浄運転を行った場合のドレン水の残量を効率よく確実に低減することができる。
【００５７】
以上の通り、本実施形態に係る空気調和機１００によれば、凍結洗浄運転を行った場合のドレン水の残量を低減することができる。
【００５８】
なお、本発明は、前記した実施形態に限定されるものではなく、本発明の要旨を逸脱しない範囲で種々の変更や変形を行うことができる。
【００５９】
例えば、前記した実施形態は、本発明の要旨を分かり易く説明するために詳細に説明したものである。そのため、本発明は、必ずしも説明した全ての構成要素を備えるものに限定されるものではない。また、本発明は、ある構成要素に他の構成要素を追加したり、一部の構成要素を他の構成要素に変更したりすることができる。また、本発明は、一部の構成要素を削除することもできる。
【００６０】
例えば、前記した実施形態では、室内機６０が天井カセット型の装置であるものとして説明した。しかしながら、本発明は、室内機６０が、壁掛け型、天井埋め込み型、床置き型等の装置であっても適用することができる。
【００６１】
例えば、空気調和機１００の動作は、図５に示す第１変形例や、図６に示す第２変形例のように変形してもよい。図５は、空気調和機１００の第１変形例の動作を示すタイムチャートである。図６は、空気調和機１００の第２変形例の動作を示すタイムチャートである。
【００６２】
（第１変形例）
図５に示す第１変形例の動作は、凍結運転中にユーザによる停止操作を受け付けた場合の動作である。図５に示す第１変形例の動作は、図４に示す前記した実施形態の動作と比較すると、停止操作を受け付けることによって、室内ファン６６が停止している点で相違している。
【００６３】
図５に示すように、第１変形例の動作では、通常の冷房運転での運転終了からドレンポンプＰＯの駆動開始までの時間（つまり、ドレンポンプＰＯを停止させている時刻ｔ１ａから時刻ｔ３までの時間）がＴ１１となっている。一方、停止操作を受け付けてからドレンポンプＰＯの駆動開始までの時間（つまり、時刻ｔＡから時刻ｔＢまでの時間）がＴ１２となっている。そして、時間Ｔ１２は、時間Ｔ１１よりも大きな値（つまり、「Ｔ１２＞Ｔ１１」の関係を満たす値）になっている。つまり、第１変形例の動作では、凍結運転中にユーザによる停止操作を受け付けた場合での停止操作を受け付けてからドレンポンプＰＯの駆動開始までの時間は、通常の冷房運転での運転終了からドレンポンプＰＯの駆動開始までの時間よりも長くなっている。
【００６４】
このような第１変形例の動作は、圧縮機３２の内部空間を漂う潤滑油を貯油部（図示せず）の方向に落下させる時間を確保することができる。これにより、第１変形例の動作は、圧縮機３２の内部空間を漂う潤滑油が圧縮機３２の外部に流出して、冷凍サイクルＲＣの動作効率が低下することを抑制することができる。
【００６５】
（第２変形例）
図６に示す第２変形例の動作は、ドレンパン１４０が凍結洗浄運転で短時間のうちに発生するドレン水を溢れさせずに溜めることができる程度の大きさを有している場合の動作である。図６に示す第２変形例の動作は、図４に示す前記した実施形態の動作と比較すると、乾燥運転中の少なくとも一部の時間でドレンポンプＰＯを停止させている点で相違している。
【００６６】
このような第２変形例の動作は、ドレンポンプＰＯを停止させる時間を確保することができる。そのため、第２変形例の動作は、その分だけ消費エネルギーの低減を実現すること、つまり、省エネルギーを実現することができる。また、第２変形例の動作は、ドレンポンプＰＯを停止させる時間だけ騒音の発生を抑制することができる。
【符号の説明】
【００６７】
２０    制御装置
２２    商用電源
２５    室内熱交換器冷媒液温度センサ
２６    室内熱交換器冷媒ガス温度センサ
３０    室外機
３２    圧縮機
３２ａ，４８ａ，６６ａ    モータ
３４    四方弁
３６    室外熱交換器
４１    吸入側温度センサ
４２    吐出側温度センサ
４３    圧縮機温度センサ
４５    吸入側圧力センサ
４６    吐出側圧力センサ
４８    室外ファン
５１    室外熱交換器入口温度センサ
５３    室外熱交換器冷媒ガス温度センサ
５４    電源部
５５    室外熱交換器冷媒液温度センサ
５６，６７    モータ制御部
５８    電力測定部
６０    室内機
６２    室内用膨張弁
６４    室内熱交換器
６６    室内ファン
６８    リモコン通信部
７０    室内熱交換器入口空気温度センサ
７２    室内熱交換器排出空気温度センサ
７４    室内熱交換器入口湿度センサ
９０    リモコン
１００    空気調和機
１３０    天井
１４０    ドレンパン
１４２    エアフィルタ
１４３    化粧板
１４４    空気吸込み口
１４６    空気吹出し通路
１４８    左右風向板
１５０    上下風向板
１５０ａ    支点
１５２    全閉位置
１５４    洗浄運転位置
１５６    位置
ａ１，ａ２，ａ３，ａ５，ａ６，ａ７    配管
ＦＳ    隙間
ＰＯ    ドレンポンプ
ＲＣ    冷凍サイクル
【要約】
空気調和機（１００）は、圧縮機（３２）と室内熱交換器（６４）とを有する冷凍サイクル（ＲＣ）と、室内熱交換器に付着して落下した水をドレン水として一時的に溜めるドレンパン（１４０）と、ドレンパンに溜まったドレン水を外部に排水するドレンポンプ（ＰＯ）と、冷凍サイクルとドレンポンプの動作を制御する制御装置（２０）と、を備えている。制御装置は、室内熱交換器を蒸発器として機能させ室内熱交換器の表面温度を氷点下にする凍結運転を実行し、「通常の冷房運転終了後のドレンポンプの駆動時間＜凍結運転後のドレンポンプの駆動時間」の関係を満たすように、ドレンポンプを駆動させる。【図１】
0006698221.tif 000002
【図２】
0006698221.tif 000003
【図３】
0006698221.tif 000004
【図４】
0006698221.tif 000005
【図５】
0006698221.tif 000006
【図６】
0006698221.tif 000007